(57)【要約】【課題】冷却ファンを回転させて内部を冷却するカメラ記録再生装置においては、冷却ファンの回転音がマイクロフォンでとらえられ、雑音として記録される問題がある。【解決手段】冷却ファンの回転速度に複数のモードを設ける。記録動作をしていない場合、静止画を記録する場合などは、冷却ファンを高速回転して冷却効果を高める。内蔵するマイクロフォンで音声を収録する場合、内蔵するマイクロフォンで収録する音声が小さい場合、装置の内部温度が低い場合などは、冷却ファンを低速回転して雑音を低減する効果を優先する。【選択図】図１
2010062892.tif 000002
【特許請求の範囲】
【請求項１】
画像を撮像して画像信号を記録媒体に記録し、記録した画像信号を再生するカメラ記録再生装置であって、
該カメラ記録再生装置の内部を冷却するための冷却ファンと、
該冷却ファンを動作状態に応じて複数の速度モードで回転させる回転制御を行うシステム制御回路と
を有したことを特徴とするカメラ記録再生装置。
【請求項２】
請求項１に記載のカメラ記録再生装置であって、該カメラ記録再生装置に内蔵し音声を収録するためのマイクロフォンと、前記カメラ記録再生装置に外付けするマイクロフォンからの音声信号を入力するための入力端子とを有し、前記カメラ記録再生装置が記録動作を行っており、かつ前記装置に内蔵するマイクロフォンで音声を収録する場合には、前記システム制御回路は、前記冷却ファンを低速モードで回転させるように回転制御することを特徴とするカメラ記録再生装置。
【請求項３】
請求項１に記載のカメラ記録再生装置であって、該カメラ記録再生装置に内蔵し音声を収録するためのマイクロフォンを有し、前記カメラ記録再生装置が記録動作を行っており、かつ前記装置に内蔵するマイクロフォンで収録する音声のレベルが所定値よりも小さい場合には、前記システム制御回路は、前記冷却ファンを低速モードで回転させるように回転制御することを特徴とするカメラ記録再生装置。
【請求項４】
請求項１に記載のカメラ記録再生装置であって、該カメラ記録再生装置の内部温度を検出するための温度センサを有し、前記カメラ記録再生装置が記録動作を行っており、かつ前記温度センサが検出する内部温度が所定値よりも低い場合には、前記システム制御回路は、前記冷却ファンを低速モードで回転させるように回転制御することを特徴とするカメラ記録再生装置。
【請求項５】
請求項１に記載のカメラ記録再生装置であって、前記カメラ記録再生装置が記録動作を行っており、かつ前記画像が静止画像である場合には、前記システム制御回路は、前記冷却ファンを低速モードで回転させるように回転制御することを特徴とするカメラ記録再生装置。
【発明の詳細な説明】
【技術分野】
【０００１】
本発明はカメラ記録再生装置に係る。たとえば、特に内部を冷却するための冷却ファンの回転音が録音される問題を軽減できるカメラ記録再生装置に関するものである。
【背景技術】
【０００２】
本技術分野の背景技術として、たとえば特開２００４−１７１６５４号公報（特許文献１）がある。該公報には「［課題］装置内の温度上昇を抑制しつつ、転送レートを低下させずに既符号化情報を記録再生することを可能とし、更に冷却ファンの発する騒音の記録情報への混入を回避できるようにすること。［解決手段］集音マイク１が有効となるカメラ記録時は冷却ファン２６を停止し、ドライブ部３９を間欠駆動させる省電力モードに移行する。一方、集音マイク１が無効、且つ既符号化情報が入力ソースとなる外部機器接続インターフェイス回路２２有効時は、省電力モードを解除し、冷却ファンを高速回転させる。」と記載されている（要約参照）。
【０００３】
【特許文献１】特開２００４−１７１６５４号公報
【発明の開示】
【発明が解決しようとする課題】
【０００４】
カメラ一体型の記録再生装置（以下、カメラ記録再生装置と略記する。）の分野においては、ＤＶＤ（Ｄｉｇｉｔａｌ  Ｖｅｒｓａｔｉｌｅ  Ｄｉｓｃ）に続いて、ＢＤ（Ｂｌｕ−ｒａｙ  Ｄｉｓｃ）を記録媒体に用いるものが普及してきている。またＨＤＤ（Ｈａｒｄ  Ｄｉｓｃ  Ｄｒｉｖｅ）を記録媒体とするものもあれば、これとＤＶＤないしＢＤのドライブの双方を有して、一度ＨＤＤへ記録した映像情報を編集しながら、ＤＶＤないしＢＤにダビングするハイブリッド型のものもあり、ユーザの多様なニーズに応えている。このような状況のなかで小型軽量化と多機能化の技術は大幅に進歩し、たとえば多機能な回路とその動作プログラムを取込んだＤＳＰ（Ｄｉｇｉｔａｌ  Ｓｉｇｎａｌ  Ｐｒｏｃｅｓｓｏｒ）が開発され、装置に搭載されている。ＤＳＰは回路部分の小型実装を可能にし、装置の小型軽量化に寄与する効果が大きい。しかし装置が小型化する反面、このＤＳＰをはじめとする構成要素が発生する熱を放熱する空間も少なくなるために、放熱のための新たな工夫が必要になる。
【０００５】
前記装置の筐体にごく小型の冷却ファンを取付け、これを回転して外部に放熱するものが最近登場している。ところで冷却ファンを回転する場合、カメラ記録再生装置ではカメラでとらえた情報を記録する際に、冷却ファンの回転音が内蔵するマイクロフォンに伝わり、雑音として記録媒体に記録される問題がある。この問題に対して特許文献１においては、カメラでとらえた情報を記録する際には冷却ファンの回転数を変えて、前記した問題を軽減することを開示している。
【０００６】
前記した冷却ファンの回転数を変えて、その回転音が記録されるのを軽減する方法は、さらに記録再生装置の使用状況に応じた使い方を考える必要がある。
【０００７】
本発明の目的は、この課題を解決したカメラ記録再生装置を提供し、特に前記冷却ファンの回転音が録音される問題をいっそう軽減できるカメラ記録再生装置を提供することにある。
【課題を解決するための手段】
【０００８】
上記目的は特許請求の範囲に記載の発明により達成される。たとえば、画像を撮像して画像信号を記録媒体に記録し、記録した画像信号を再生するカメラ記録再生装置であって、該カメラ記録再生装置の内部を冷却するための冷却ファンと、該冷却ファンを動作状態に応じて複数の速度モードで回転させる回転制御を行うシステム制御回路とを有したことを特徴としている。
【発明の効果】
【０００９】
本発明によれば、冷却ファンの回転音が録音される問題を軽減できるカメラ記録再生装置を提供でき、再生する時に不快な雑音が再生される問題を軽減できるという効果がある。
【発明を実施するための最良の形態】
【００１０】
以下、本発明の実施形態について図面を用いながら説明する。
まず図１に基づいて述べる。図１は本発明の一実施例を示すカメラ記録再生装置のブロック図である。記録再生を行う際の基本的な動作から説明する。まず記録時の動作について述べる。
【００１１】
カメラの被写体（図示せず）からの光学情報は、レンズ１０１で集光され映像センサ１０２において、たとえばＲＧＢ三原色の映像信号に変換される。周知のとおり映像センサ１０２にはＣＣＤ（Ｃｈａｒｇｅ  Ｃｏｕｐｌｅｄ  Ｄｅｖｉｃｅ）などの固体撮像素子が適用される。前記映像信号は信号処理ＤＳＰ１０３へ与えられる。信号処理ＤＳＰ１０３は映像処理回路１０３１において、前記映像信号をたとえばＹ色差信号に変換し、また標本化、量子化してディジタル信号に変換するなどする。
【００１２】
アナログの映像信号は映像出力回路１０３２を介して、装置の有するＥＶＦ（Ｅｌｅｃｔｒｏｎｉｃ  Ｖｉｅｗ  Ｆｉｎｄｅｒ）に与えられ、撮像中の映像をモニタできるようにする。また図示していないが、外部のテレビジョンなどにアナログ映像信号を供給する時は、映像出力回路１０３２からこれを出力する。
後記するマイクロフォンで収録された前記映像信号に伴う音声信号は、音声出力回路１０３３を介して、装置の有するスピーカ１３２に出力する。やはり外部のテレビジョンなどにアナログ音声信号を供給する時は、音声出力回路１０３３からこれを出力する。
【００１３】
次にさきの信号処理回路１０３１から出力されたディジタル映像信号は、制御ＤＳＰ１０４へ与えられる。まず圧縮伸張回路１０４２において、ＭＰＥＧ２（Ｍｏｖｉｎｇ  Ｐｉｃｔｕｒｅ  Ｅｘｐｅｒｔｓ  Ｇｒｏｕｐ  ２）などによるデータ量の圧縮を行い、記録するに適したデータ量とする。
一方、装置に内蔵するマイクロフォン１３３で収録され、ないし入力端子１３４に入力される装置に外付けしたマイクロフォンで収録された、前記映像信号に伴う音声信号は、音声処理回路１０４１を介してさきの信号処理ＤＳＰ１０３の信号処理回路１０３１に与えられ、アナログ信号として前記の音声出力回路１０３３へ出力される。またこの音声信号は音声処理回路１０４１でディジタル化処理されたうえで、圧縮伸張回路１０４２に供給される。圧縮伸張回路１０４２では前記音声信号の圧縮も行い、やはり記録するに適したデータ量とする。
外部出力端子１３９は外部のディジタル機器に、前記ディジタル信号を出力するための出力端子である。ここには圧縮伸張回路１０４２で圧縮する前後、いずれの信号を出力しても良い。
【００１４】
圧縮伸張回路１０４２の出力である映像信号と音声信号は、装置に内蔵する記録媒体１３８に記録される。記録媒体１３８は図１ではＨＤＤを表す記号で示したが、もちろんこれに限定するものではなく、ＤＶＤ、ＢＤなどの光ディスクであっても良い。またＤＶ（Ｄｉｇｉｔａｌ  Ｖｉｄｅｏ）などの磁気テープ媒体であっても良い。
【００１５】
システム制御回路１０４３はこれらの動作を行うために、音声処理回路１０４１、圧縮伸張回路１０４２、記録媒体１０４３の動作を制御している。またユーザの発する記録、再生、停止などの動作指令を表す信号は、装置本体の操作ボタンないしリモコン１３６からシステム制御回路１０４３に与えられる。
また温度センサ１３５から装置内の温度が、システム制御回路１０４３に知らされている。従来は、異常な高温となった時に装置を停止するなどのために用いられている。
【００１６】
さらに冷却ファン１３７が取付けられており、後に詳しく述べるように、速度の異なる複数の回転モードを設定できるようにシステム制御回路１０４３が制御する。
【００１７】
次に再生時の動作を説明する。記録媒体１３８から再生されたディジタル信号は、制御ＤＳＰ１０４の圧縮伸張回路１０４２において伸張され、記録時に与えられた圧縮作用が解除される。やはり伸張する前後いずれかのディジタル信号が、外部出力端子１３９から外部の装置へ供給される。その後さきの信号処理ＤＳＰ１０３の信号処理回路１０３１に与えられ、アナログ信号に戻される。映像信号は映像出力回路１０３２を介してＥＶＦ１３１へ与えられ、ここに再生画像が表示される。音声信号は音声出力回路１０３３を介してスピーカ１３２へ与えられ、再生音が得られる。この場合もこのアナログの映像信号と音声信号を、外部の装置へ出力するようにしても良い。
【００１８】
図１において、信号処理ＤＳＰ１０３、制御ＤＳＰ１０４をはじめとする構成要素が発生する熱は、図示しない装置の筐体内部にこもる。特に最近の高機能で集積度の高いＤＳＰを使用する場合には、装置の動作不良をおこさないためにも、装置の外部へ放熱することが重要になる。冷却ファン１３７はこのための構成要素である。カメラ記録再生装置ではレンズ１０１の取付け面とは反対側の面、すなわち装置の後ろ側に図示しないバッテリーを取付けることが多い。本実施例では、たとえばバッテリー取付け面でバッテリーが覆わない場所に冷却ファン１３７を取付け、装置の後側から吸引した外気を内部へ送込むことで、内部温度の上昇を防ぐようにしているが、空気の移動方向についてはこれに限定されるものではない。装置の性格上、冷却ファン１３７は小型のものが望ましいが、たとえば２ｃｍ角以内のものが実用化されており、これを用いれば問題がない。また回転体が周囲のものに接触しないよう奥まった位置になるようケーシングされており、破損の危険はごく少ない。
【００１９】
さらに本発明においては、システム制御回路１０４３が冷却ファン１３７を回転制御する際に、たとえば高速モードと低速モードというような複数の回転速度により制御することを特徴としている。
【００２０】
次に、さきの冷却ファン１３７に対するシステム制御回路１０４３の制御方法につき、図２〜図６の動作フロー図を用いて説明する。
【００２１】
図２は本発明の一実施例を示す動作フロー図である。図２ではカメラ記録をする際に使用するマイクロフォンに応じて、冷却ファンの回転速度を変えるようにしたことに特徴がある。装置に内蔵するマイクロフォン１３３は装置の筐体に取付けられるために、冷却ファン１３７の回転音など、装置の内部で発生した雑音をとらえやすい。一方、カメラ記録時には装置に内蔵するマイクロフォン１３３を使用せず、装置の外部に設けた外部マイクロフォンで音声を収録することも可能である。この場合、記録する音声信号は入力端子１３４から入力される。外部のマイクロフォンの場合は、装置内部で発生する雑音が記録される恐れはごく少ない。図２の実施例はこの点に注目して、冷却ファンの回転速度を制御している。
【００２２】
ステップＳ２１では、装置がカメラで撮像した信号を記録しているか否かを、さきのシステム制御回路１０４３が判定する。
カメラで撮像した信号を記録していない場合には（図中Ｎｏ）、ステップＳ２４に移り冷却ファンを高速モードで回転させ、冷却効果を高める。記録していない場合には、当然ながら冷却ファンによる雑音の問題はないからである。
一方、カメラで撮像した信号を記録している場合には（図中Ｙｅｓ）、ステップＳ２２に移り外部マイクロフォンが接続されているか否かを判定する。
接続されている場合には（図中Ｙｅｓ）、外部マイクロフォンからの音声信号を記録するよう装置が設定されているため、前記雑音が記録される恐れはごく少ない。そこでステップＳ２４に移り冷却ファンを高速モードで回転させ、冷却効果を高める。
接続されていない場合には（図中Ｎｏ）、装置に内蔵するマイクロフォン１３３で収録した音声信号を記録するため、前記雑音が記録される問題がある。そこでステップＳ２３に移り冷却ファンを低速モードで回転させ、雑音を低減する効果を優先する。
ステップＳ２３ないしＳ２４が終了した後は、新たな動作状況の変化に備えステップＳ２１へ戻る。
【００２３】
なお、カメラ記録再生装置には外部の装置から与えられた情報ソフトを記録媒体に記録できるものがあるが、この場合には冷却ファンを高速モードで回転すれば良いことは言うまでもない。
【００２４】
次に図３は本発明の、図２とは異なる一実施例を示す動作フロー図である。図３ではカメラ記録をする際に、使用するマイクロフォンによって収録される周辺環境からの音量に応じて、冷却ファンの回転速度を変えるようにしたことに特徴がある。特に内蔵するマイクロフォン１３３で音声信号を収録する場合、その音量によって同時に記録される前記雑音の影響が変わる。当然ながら収録する音量が大きいほど、雑音の影響は少ない。図３の実施例はこの点に注目して、冷却ファンの回転速度を制御している。
【００２５】
ステップＳ２１は図２と同様であるので、説明を省略する。
カメラで撮像した信号を記録している場合には、ステップＳ３１において、マイクロフォンで収録される周辺環境からの音声信号の音量が、所定の値よりも大きいか否かを判定する。
前記音量が所定の値よりも大きい場合には（図中の大）、前記雑音が記録されることによる再生音への影響は小さい。そこでステップＳ２４に移り冷却ファンを高速モードで回転させ、冷却効果を高める。
前記音量が所定の値よりも小さい場合には（図中の小）、前記雑音が記録されることによる再生音への影響は大きい。そこでステップＳ２３に移り冷却ファンを低速モードで回転させ、雑音を低減する効果を優先する。
【００２６】
次に図４は本発明の、さらに異なる一実施例を示す動作フロー図である。図４ではカメラ記録をする際に、装置の内部温度に応じて冷却ファンの回転速度を変えるようにしたことに特徴がある。内部温度が高い場合ほど冷却効果を優先すべきことは言うまでもない。図３の実施例はこの点に注目して、図１の温度センサ１３５を用いて装置の内部温度を検出したうえで、冷却ファンの回転速度を制御するようにしている。
なお、温度センサ１３５は必ずしも新たに追加して具備する必要はない。たとえば記録媒体１３８のドライブ部は、異常な高温となった際にドライブを停止させるための温度センサを有する場合が多い。この温度センサを本実施例で兼用して使用することもできる。
【００２７】
ステップＳ２１は図２と同様であるので、説明を省略する。
カメラで撮像した信号を記録している場合には、ステップＳ４１において、温度センサ１３５の検出した装置の内部温度が、所定の値よりも高いか否かを判定する。
装置の内部温度が所定の値よりも高い場合には（図中の高温）、冷却効果を高める必要がある。そこでステップＳ２４に移り冷却ファンを高速モードで回転させ、冷却効果を高める。
装置の内部温度が所定の値よりも低い場合には（図中の低温）、冷却効果を上げる必要は比較的小さい。そこでステップＳ２３に移り冷却ファンを低速モードで回転させ、雑音を低減する効果を優先する。
【００２８】
次に図５は本発明の、別な一実施例を示す動作フロー図である。図５ではカメラ記録をする際に、装置が動画像を記録しているか、静止画像を記録しているかに応じて冷却ファンの回転速度を変えるようにしたことに特徴がある。カメラ記録再生装置においては、動画像を撮影することを第一の特徴としたものにおいても、静止画像を撮像する機能を有し、通称デジカメの機能を取込んだものがある。静止画像を記録する際には、前記した雑音が記録される問題はない。図５の実施例はこの点に注目して、冷却ファンの回転速度を制御している。
【００２９】
ステップＳ２１は図２と同様であるので、説明を省略する。
カメラで撮像した信号を記録している場合には、ステップＳ５１において、記録する画像が静止画像であるか否かを判定する。
静止画像である場合には（図中のＹｅｓ）、前記雑音は問題でない。そこでステップＳ２４に移り冷却ファンを高速モードで回転させ、冷却効果を高める。
動画像である場合には（図中のＮｏ）、前記雑音が問題となることがある。そこでステップＳ２３に移り冷却ファンを低速モードで回転させ、雑音を低減する効果を優先する。
【００３０】
以上述べた実施例を複合した実施例も考えられる。
図６は本発明のさらに別な一実施例を示す動作フロー図である。図６では図２〜図５で示した実施例を複合した場合を示している。この例においても、前記した冷却ファンの回転速度を切替えて使用している。各ステップにおける動作は前記と同じで良いので、説明を省略する。
【００３１】
本発明は以上で示した実施例に限定されるものではない。たとえば適用する装置は記録再生機能を持つものに限らず、記録機能のみを有するカメラ記録装置であっても良い。冷却ファン１３７の回転モードは、高速モードと低速モードの二つに限定するものではない。三つ以上の速度モードを設けて、条件に応じてさらに細かく回転速度を制御しても良い。使用条件に応じて回転モードを切替える他の実施例も考えられるが、いずれも本発明の範疇にある。
【図面の簡単な説明】
【００３２】
【図１】本発明の一実施例を示すカメラ記録再生装置のブロック図である。
【図２】本発明の一実施例を示す動作フロー図である。
【図３】本発明の異なる一実施例を示す動作フロー図である。
【図４】本発明のさらに異なる一実施例を示す動作フロー図である。
【図５】本発明の別な一実施例を示す動作フロー図である。
【図６】本発明のさらに別な一実施例を示す動作フロー図である。
【符号の説明】
【００３３】
１０１：レンズ、１０２：映像センサ、１０３信号処理ＤＳＰ、１０４：制御ＤＳＰ、１０４３：システム制御回路、１３３：マイクロフォン、１３４：外付けマイクロフォンからの入力端子、１３５：温度センサ、１３７：冷却ファン、１３８：記録媒体。
【図１】
2010062892.tif 000003
【図２】
2010062892.tif 000004
【図３】
2010062892.tif 000005
【図４】
2010062892.tif 000006
【図５】
2010062892.tif 000007
【図６】
2010062892.tif 000008